(57)【特許請求の範囲】
【請求項１】
ＵＳＢ（Universal Serial Bus）規格に準拠し、ＵＳＢ受電装置に電力を供給するＵＳＢ給電装置であって、
電源回路と、
前記電源回路の出力と前記ＵＳＢ受電装置とを接続するバスラインと、
前記バスラインの経路上に設けられたスイッチと、
前記電源回路の出力電圧が基準電圧に近づくように、前記電源回路をフィードバック制御するフィードバック回路と、
前記ＵＳＢ給電装置の電気的状態にもとづいて、基準電圧を適応的に制御するコントローラと、
を備え、
前記コントローラは、前記バスラインに発生するバス電圧を検出するバス電圧検出部を含み、前記バス電圧検出部の検出結果にもとづいて、前記基準電圧を、前記スイッチよりも前記ＵＳＢ受電装置側のバス電圧の所定の設定電圧からのドロップ量が小さくなるように制御し、
前記バス電圧検出部は、前記バス電圧を、前記設定電圧より低く定められた第１しきい値電圧と比較し、前記バス電圧が前記第１しきい値電圧を下回るとアサートされる低電圧検出信号を生成し、
前記コントローラは、前記低電圧検出信号がアサートされると、前記基準電圧を所定幅、増大させることを特徴とするＵＳＢ給電装置。
【請求項２】
前記基準電圧は、前記設定電圧に補正電圧を重畳した電圧であり、
前記コントローラは、前記低電圧検出信号がアサートされると、前記補正電圧を所定幅、増大させることを特徴とする請求項１に記載のＵＳＢ給電装置。
【請求項３】
前記バス電圧検出部は、前記バス電圧を、前記設定電圧またはその近傍に設定された第２しきい値電圧と比較し、前記バス電圧が前記第２しきい値電圧を超えるとアサートされる電圧復帰信号を生成し、
前記コントローラは、前記電圧復帰信号がアサートされると、前記基準電圧を所定幅、低下させることを特徴とする請求項１または２に記載のＵＳＢ給電装置。
【請求項４】
前記基準電圧は、前記設定電圧に補正電圧を重畳した電圧であり、
前記コントローラは、前記電圧復帰信号がアサートされると、前記補正電圧を所定幅、減少させることを特徴とする請求項３に記載のＵＳＢ給電装置。
【請求項５】
前記コントローラは、前記電圧復帰信号がアサートされた状態が、所定の判定時間持続すると、前記基準電圧を低下させることを特徴とする請求項３または４に記載のＵＳＢ給電装置。
【請求項６】
前記コントローラは、前記バスラインを介して前記ＵＳＢ受電装置に供給されるサプライ電流を検出する電流検出部をさらに含み、
前記コントローラは、前記バス電圧検出部の検出結果に加えて、前記電流検出部の検出結果にもとづいて、前記基準電圧を制御することを特徴とする請求項１から５のいずれかに記載のＵＳＢ給電装置。
【請求項７】
前記コントローラは、前記電源回路の出力電圧を検出する出力電圧検出部をさらに含み、
前記コントローラは、前記バス電圧検出部の検出結果に加えて、前記出力電圧検出部の検出結果にもとづいて、前記基準電圧を制御することを特徴とする請求項１から６のいずれかに記載のＵＳＢ給電装置。
【請求項８】
ＵＳＢ（Universal Serial Bus）規格に準拠し、ＵＳＢ受電装置に電力を供給するＵＳＢ給電装置であって、
電源回路と、
前記電源回路の出力と前記ＵＳＢ受電装置とを接続するバスラインと、
前記バスラインの経路上に設けられたスイッチと、
前記電源回路の出力電圧が基準電圧に近づくように、前記電源回路をフィードバック制御するフィードバック回路と、
前記ＵＳＢ給電装置の電気的状態にもとづいて、基準電圧を適応的に制御するコントローラと、
を備え、
前記コントローラは、
前記バスラインに発生するバス電圧を検出するバス電圧検出部と、
前記バスラインを介して前記ＵＳＢ受電装置に供給されるサプライ電流を検出する電流検出部と、を含み、
前記コントローラは、前記バス電圧検出部の検出結果および前記電流検出部の検出結果にもとづいて、前記基準電圧を、前記スイッチよりも前記ＵＳＢ受電装置側のバス電圧の所定の設定電圧からのドロップ量が小さくなるように制御することを特徴とするＵＳＢ給電装置。
【請求項９】
ＵＳＢ（Universal Serial Bus）規格に準拠し、ＵＳＢ受電装置に電力を供給するＵＳＢ給電装置であって、
電源回路と、
前記電源回路の出力と前記ＵＳＢ受電装置とを接続するバスラインと、
前記バスラインの経路上に設けられたスイッチと、
前記電源回路の出力電圧が基準電圧に近づくように、前記電源回路をフィードバック制御するフィードバック回路と、
前記ＵＳＢ給電装置の電気的状態にもとづいて、基準電圧を適応的に制御するコントローラと、
を備え、
前記コントローラは、
前記バスラインに発生するバス電圧を検出するバス電圧検出部と、
前記電源回路の出力電圧を検出する出力電圧検出部と、を含み、
前記コントローラは、前記バス電圧検出部の検出結果および前記出力電圧検出部の検出結果にもとづいて、前記基準電圧を、前記スイッチよりも前記ＵＳＢ受電装置側のバス電圧の所定の設定電圧からのドロップ量が小さくなるように制御することを特徴とするＵＳＢ給電装置。
【請求項１０】
ＵＳＢ（Universal Serial Bus）規格に準拠し、ＵＳＢ受電装置に電力を供給するＵＳＢ給電装置であって、
電源回路と、
前記電源回路の出力と前記ＵＳＢ受電装置とを接続するバスラインと、
前記バスラインの経路上に設けられたスイッチと、
前記電源回路の出力電圧が基準電圧に近づくように、前記電源回路をフィードバック制御するフィードバック回路と、
前記ＵＳＢ給電装置の電気的状態にもとづいて、基準電圧を適応的に制御するコントローラと、
を備え、
前記コントローラは、前記バスラインを介して前記ＵＳＢ受電装置に供給されるサプライ電流を検出する電流検出部を含み、
前記コントローラは、前記電流検出部の検出結果にもとづいて、前記基準電圧を制御することを特徴とするＵＳＢ給電装置。
【請求項１１】
ＵＳＢ（Universal Serial Bus）規格に準拠し、ＵＳＢ受電装置に電力を供給するＵＳＢ給電装置であって、
電源回路と、
前記電源回路の出力と前記ＵＳＢ受電装置とを接続するバスラインと、
前記バスラインの経路上に設けられたスイッチと、
前記電源回路の出力電圧が基準電圧に近づくように、前記電源回路をフィードバック制御するフィードバック回路と、
前記ＵＳＢ給電装置の電気的状態にもとづいて、基準電圧を適応的に制御するコントローラと、
を備え、
前記コントローラは、前記電源回路の出力電圧と前記スイッチよりも前記ＵＳＢ受電装置側のバス電圧との差分を検出する電圧降下検出部を含み、
前記コントローラは、前記電圧降下検出部の検出結果にもとづいて、前記基準電圧を制御することを特徴とするＵＳＢ給電装置。
【請求項１２】
前記基準電圧は、所定の設定電圧に補正電圧を重畳した電圧であり、
前記コントローラは、前記補正電圧を、前記スイッチよりも前記ＵＳＢ受電装置側のバス電圧の所定の設定電圧からのドロップ量が小さくなるように増減することを特徴とする請求項１０または１１に記載のＵＳＢ給電装置。
【請求項１３】
前記コントローラは、前記ＵＳＢ受電装置と通信する通信部をさらに含み、
前記コントローラは、前記ＵＳＢ受電装置とのネゴシエーションにもとづいて、前記設定電圧を決定することを特徴とする請求項１２に記載のＵＳＢ給電装置。
【請求項１４】
前記ＵＳＢ給電装置は、ＵＳＢ−ＰＤ（Power Delivery）規格に準拠しており、
前記バスライン上に、前記スイッチよりも前記ＵＳＢ受電装置側に設けられたインダクタをさらに備え、
前記コントローラは、前記基準電圧を、前記インダクタよりも前記ＵＳＢ受電装置側のバス電圧の所定の設定電圧からのドロップ量が小さくなるように制御することを特徴とする請求項１から１３のいずれかに記載のＵＳＢ給電装置。
【請求項１５】
ＵＳＢ−ＰＤ（Power Delivery）規格に準拠し、ＵＳＢ受電装置に電力を供給するＵＳＢ給電装置であって、
電源回路と、
前記電源回路の出力と前記ＵＳＢ受電装置とを接続するバスラインと、
前記バスラインの経路上に設けられたスイッチと、
前記バスライン上に、前記スイッチよりも前記ＵＳＢ受電装置側に設けられたインダクタと、
前記電源回路の出力電圧が基準電圧に近づくように、前記電源回路をフィードバック制御するフィードバック回路と、
前記ＵＳＢ給電装置の電気的状態にもとづいて、基準電圧を適応的に制御するコントローラと、
を備え、
前記コントローラは、前記基準電圧を、前記インダクタよりも前記ＵＳＢ受電装置側のバス電圧の所定の設定電圧からのドロップ量が小さくなるように制御することを特徴とするＵＳＢ給電装置。
【請求項１６】
ＵＳＢ−ＰＤ（Universal Serial Bus−Power Delivery）規格、またはＵＳＢ−ＴｙｐｅＣ規格に準拠することを特徴とする請求項１から１４のいずれかに記載のＵＳＢ給電装置。
【請求項１７】
請求項１から１６のいずれかに記載のＵＳＢ給電装置を備えることを特徴とする電子機器。
【請求項１８】
ＵＳＢ（Universal Serial Bus）規格に準拠し、ＵＳＢ受電装置に電力を供給するＵＳＢ給電装置の制御方法であって、
前記ＵＳＢ給電装置は、
電源回路と、
前記電源回路の出力と前記ＵＳＢ受電装置とを接続するバスラインと、
前記バスラインの経路上に設けられたスイッチと、
を含んでおり、
前記制御方法は、
前記電源回路を、その出力電圧が基準電圧に近づくようにフィードバック制御するステップと、
前記ＵＳＢ給電装置の電気的状態に応じて、前記基準電圧を適応的に制御するステップと、
を備え、
前記制御するステップは、
前記スイッチよりも前記ＵＳＢ受電装置側のバス電圧を検出するステップと、
検出した前記バス電圧にもとづいて前記基準電圧を調節するステップと、
を含み、
前記基準電圧を調節するステップは、
前記基準電圧を、前記スイッチよりも前記ＵＳＢ受電装置側のバス電圧が所定の設定電圧に近づくように制御するステップを含み、
前記制御するステップは、
前記バスラインを介して前記ＵＳＢ受電装置に供給されるサプライ電流を検出するステップと、
検出したサプライ電流にもとづいて前記基準電圧を調節するステップと、
を含むことを特徴とする制御方法。
【発明の詳細な説明】
【技術分野】
【０００１】
本発明はＵＳＢ給電装置に関する。
【背景技術】
【０００２】
携帯電話端末、スマートホン、タブレット端末、ノート型コンピュータ、ポータブルオーディオプレイヤをはじめとする電池駆動デバイスは、充電可能な二次電池とともに、それを充電するための充電回路を内蔵する。充電回路には、外部からＵＳＢ（Universal Serial Bus）ケーブルを介して供給されたＤＣ電圧（バス電圧ＶＢＵＳ）にもとづいて二次電池を充電するものが存在する。
【０００３】
現在、モバイル機器に搭載される充電回路は、USB Battery Charging Specificationと呼ばれる規格（以下、ＢＣ規格という）に準拠したものが主流である。ＵＳＢホストあるいはチャージャ（以下、ＵＳＢ給電装置と総称する）には、いくつかの種類が存在する。ＢＣ revision 1.2規格においては、ＵＳＢ給電装置の種類として、ＳＤＰ（Standard Downstream Port）、ＤＣＰ（Dedicated Charging Port）、ＣＤＰ（Charging Downstream Port）が定義されている。そしてＵＳＢ給電装置が供給できる電流（電流容量）は、その種類に応じて規定されている。具体的には、ＤＣＰ、ＣＤＰでは１５００ｍＡ、ＳＤＰでは、ＵＳＢのバージョンに応じて１００ｍＡ、５００ｍＡ、９００ｍＡのように規定されている。
【０００４】
ＵＳＢを利用した次世代の二次電池充電の方式、システムとして、USB Power Deliveryと呼ばれる規格（以下、ＰＤ規格という）が策定されている。ＰＤ規格では、供給可能な電力がＢＣ規格の７．５Ｗから、最大１００Ｗまで大幅に増大する。具体的にはＰＤ規格では、ＵＳＢバス電圧として、５Ｖより高い電圧（具体的には、１２Ｖ、２０Ｖ）の供給が許容されており、充電電流も、ＢＣ規格よりも大きな量（具体的には、２Ａ，３Ａ、５Ａ）の供給が許容される。
【０００５】
図１は、本発明者らが検討したＵＳＢ−ＰＤ規格に準拠するＵＳＢホスト９００のブロック図である。ケーブルの差し込み口であるレセプタクル（ＵＳＢポート）９０８には、ＵＳＢケーブル２０２を介して、電力供給先のＵＳＢデバイス（スレーブ機器、以下、ＵＢＳ受電装置という）２００が接続される。ここでは、ＶＢＵＳラインとＧＮＤラインのみが示される。
【０００６】
電源回路９０２は、ＵＳＢ受電装置２００に供給すべきＤＣ電圧ＶＯＵＴを生成する。フィードバック回路９０４は、電源回路９０２の出力電圧ＶＯＵＴが設定電圧ＶＳＥＴに近づくように、電源回路９０２をフィードバック制御する。ＵＳＢ−ＰＤ規格では、設定電圧ＶＳＥＴは、５Ｖ、１２Ｖ、２０Ｖから選択される。
【０００７】
電源回路９０２の出力とレセプタクル９０８の間は、バスライン９０６で接続されおり、バスライン９０６上には、スイッチＳＷ１、インダクタＬ１、が直列に設けられる。また電源回路９０２の出力には、平滑用の出力キャパシタＣ１が接続され、レセプタクル９０８の近傍にも、出力キャパシタＣ２が接続される。
【０００８】
コントローラ９１０の通信（ＣＯＭ）端子は、ＤＣブロック用のキャパシタＣ３を介してバスライン９０６とカップリングされる。ＵＳＢ−ＰＤ規格では、ＵＳＢホスト９００とＵＳＢ受電装置２００は、バスライン９０６を経由して、バス電圧ＶＢＵＳに変調信号ＶＭＯＤを重畳する形式で通信可能となっている。重畳された変調信号ＶＭＯＤは、キャパシタＣ３を介してＣＯＭ端子に入力される。コントローラ９１０は、ＵＳＢ受電装置２００とのネゴシエーションにより、バス電圧ＶＢＵＳの設定電圧ＶＳＥＴを決定し、またサプライ電流（充電電流）ＩＳＵＰＰＬＹの許容量をＵＳＢ受電装置２００に通知する。
【０００９】
ＵＳＢ−ＰＤ規格では、従来のＢＣ規格よりも大きいサプライ電流ＩＳＵＰＰＬＹが許容されるため、過電流保護や過電圧保護が厳しく要求され、回路保護のためにスイッチＳＷ１が設けられている。コントローラ９１０は、サプライ電流ＩＳＵＰＰＬＹの電流量が過電流しきい値を超えるとスイッチＳＷ１をオフする過電流保護機能や、電源回路９０２の出力電圧ＶＯＵＴあるいはバス電圧ＶＢＵＳが過電圧しきい値を超えるとスイッチＳＷ１をオフする過電圧保護機能を備える。
【先行技術文献】
【特許文献】
【００１０】
【特許文献１】特開２０１３−１９８２６２号公報
【特許文献２】特開２００６−６０９７７号公報
【特許文献３】特開２００６−３０４５００号公報
【発明の概要】
【発明が解決しようとする課題】
【００１１】
本発明者は、図１のＵＳＢホスト９００について検討した結果、以下の課題を認識するに至った。スイッチＳＷ１には、パワーＭＯＳＦＥＴ（Metal Oxide Semiconductor Field Effect Transistor）が用いられる。しかしながら、オン抵抗が数ｍΩのＭＯＳＦＥＴは高価であるため、現実的には、数十ｍΩを超えるオン抵抗のＭＯＳＦＥＴが用いられる場合も多い。ＭＯＳＦＥＴのオン抵抗に加えて、インダクタＬ１や、バスライン１０６自体のインピーダンスを考慮すると、電源回路９０２からレセプタクル９０８の間の供給経路のインピーダンスは１００ｍΩ程度となり、電圧降下ＶＤＲＯＰが無視できなくなる。電圧降下ＶＤＲＯＰを考慮したとき、バス電圧ＶＢＵＳは、式（１）で与えられる。
ＶＢＵＳ＝ＶＯＵＴ−ＶＤＲＯＰ      …（１）
たとえば１００ｍΩの抵抗に、５Ａのサプライ電流ＩＳＵＰＰＬＹが流れると、その電圧降下は５００ｍＶにも達する。つまり、電源回路９０２が５Ｖの電圧ＶＯＵＴを生成したとしても、レセプタクル９０８から出力されるバス電圧ＶＢＵＳは、４．５Ｖまで低下する。ＵＳＢ−ＰＤ規格では、設定電圧ＶＳＥＴが５Ｖのときに、バス電圧ＶＢＵＳの下限電圧として４．７５Ｖが規定されており、サプライ電流ＩＳＵＰＰＬＹが大きくなったときに、スペックを満たすことが難しくなる。同様の問題は、ＵＳＢ−ＴｙｐｅＣ規格においても生じうる。
【００１２】
本発明は係る状況においてなされたものであり、そのある態様の例示的な目的のひとつは、レセプタクルから出力されるバス電圧のドロップを抑制し、ロードレギュレーションを改善したＵＳＢ給電装置の提供にある。
【課題を解決するための手段】
【００１３】
本発明のある態様は、ＵＳＢ（Universal Serial Bus）規格に準拠し、ＵＳＢ受電装置に電力を供給するＵＳＢ給電装置に関する。ＵＳＢ給電装置は、電源回路と、電源回路の出力とＵＳＢ受電装置とを接続するバスラインと、バスラインの経路上に設けられたスイッチと、電源回路の出力電圧が基準電圧に近づくように、電源回路をフィードバック制御するフィードバック回路と、ＵＳＢ給電装置の電気的状態にもとづいて、基準電圧を適応的に制御するコントローラと、を備える。
この態様によると、ＵＳＢ受電装置に供給されるバス電圧が、スイッチやバスラインを含む供給経路の電圧降下に起因してドロップするのを抑制することができ、ロードレギュレーションを改善できる。
【００１４】
コントローラは、基準電圧を、スイッチよりもＵＳＢ受電装置側のバス電圧の所定の設定電圧からのドロップ量が小さくなるように制御してもよい。
【００１５】
コントローラは、バス電圧を検出するバス電圧検出部を含んでもよい。コントローラは、バス電圧検出部の検出結果にもとづいて、基準電圧を制御してもよい。
これにより、バス電圧の低下を直接的に確実に検知し、基準電圧に反映させることができる。
【００１６】
バス電圧検出部は、バス電圧を、設定電圧より低く定められた第１しきい値電圧と比較し、バス電圧が第１しきい値電圧を下回るとアサートされる低電圧検出信号を生成してもよい。コントローラは、低電圧検出信号がアサートされると、基準電圧を所定幅、増大させてもよい。
これにより、バス電圧が第１しきい値電圧より低くドロップすることを抑制できる。
【００１７】
基準電圧は、設定電圧に補正電圧を重畳した電圧であってもよい。コントローラは、低電圧検出信号がアサートされると、補正電圧を所定幅、増大させてもよい。
これにより、スイッチやバスラインの電圧降下が小さいときには、補正電圧をゼロとすることでバス電圧を設定電圧に近づけることができ、スイッチやバスラインの電圧降下が大きいときには、補正電圧を大きくすることでバス電圧を設定電圧に近づけることができる。
【００１８】
バス電圧検出部は、バス電圧を、設定電圧またはその近傍に設定された第２しきい値電圧と比較し、バス電圧が第２しきい値電圧を超えるとアサートされる電圧復帰信号を生成してもよい。コントローラは、電圧復帰信号がアサートされると、基準電圧を所定幅、低下させてもよい。
これにより、バス電圧が第２しきい値電圧より高い状態、言い換えれば設定電圧より高い状態を解消できる。
【００１９】
基準電圧は、設定電圧に補正電圧を重畳した電圧であってもよい。コントローラは、電圧復帰信号がアサートされると、補正電圧を所定幅、減少させてもよい。
【００２０】
コントローラは、電圧復帰信号がアサートされた状態が、所定の判定時間持続すると、基準電圧を低下させてもよい。
これにより過渡的な電流変動にともないバス電圧が時間的に変動する場合において、基準電圧が細かく振動して系が不安定になったり、バス電圧が下限電圧を下回るのを抑制できる。
【００２１】
コントローラは、バスラインを介してＵＳＢ受電装置に供給されるサプライ電流を検出する電流検出部をさらに含んでもよい。コントローラは、バス電圧検出部の検出結果に加えて、電流検出部の検出結果にもとづいて、基準電圧を制御してもよい。
バスラインに接続される平滑用のキャパシタの容量は大きいため、ＵＳＢ給電装置が供給するサプライ電流が変化してから、バス電圧が変動するまでには遅延が生ずる。そこでサプライ電流を検出してバス電圧の変動を予測することで、バス電圧が実際に変動する前に基準電圧を変化させることができ、応答性を高めることができる。
【００２２】
コントローラは、電源回路の出力電圧を検出する出力電圧検出部をさらに含んでもよい。コントローラは、バス電圧検出部の検出結果に加えて、出力電圧検出部の検出結果にもとづいて、基準電圧を制御してもよい。
これにより、電源回路の出力電圧とバス電圧の電位差を検出でき、電位差を基準電圧に反映させることにより、バス電圧を設定電圧に近づけることができる。
【００２３】
コントローラは、バスラインを介してＵＳＢ受電装置に供給されるサプライ電流を検出する電流検出部を含んでもよい。コントローラは、電流検出部の検出結果にもとづいて、基準電圧を制御してもよい。
スイッチやバスラインを含む供給経路のインピーダンスが既知である場合には、サプライ電流にもとづいて、バス電圧を予測できる。したがって予測されるバス電圧が設定電圧に近づくように、基準電圧を制御することができる。
【００２４】
コントローラは、電源回路の出力電圧とスイッチよりもＵＳＢ受電装置側のバス電圧との差分を検出する電圧降下検出部を含んでもよい。コントローラは、電圧降下検出部の検出結果にもとづいて、基準電圧を制御してもよい。
【００２５】
基準電圧は、所定の設定電圧に補正電圧を重畳した電圧であってもよい。コントローラは、補正電圧を、スイッチよりもＵＳＢ受電装置側のバス電圧の所定の設定電圧からのドロップ量が小さくなるように変化させてもよい。
【００２６】
コントローラは、ＵＳＢ受電装置と通信する通信部をさらに備えてもよい。コントローラは、ＵＳＢ受電装置とのネゴシエーションにもとづいて、設定電圧を決定してもよい。
【００２７】
ＵＳＢ給電装置は、ＵＳＢ−ＰＤ（Power Delivery）規格に準拠しており、バスライン上に、スイッチよりもＵＳＢ受電装置側に設けられたインダクタをさらに備えてもよい。コントローラは、基準電圧を、インダクタよりもＵＳＢ受電装置側のバス電圧の所定の設定電圧からのドロップ量が小さくなるように制御してもよい。
これによりインダクタの電圧降下を考慮して、基準電圧を制御できる。
【００２８】
ＵＳＢ給電装置は、ＵＳＢ−ＰＤ（Universal Serial Bus−Power Delivery）規格、またはＵＳＢ−ＴｙｐｅＣ規格に準拠してもよい。
【００２９】
本発明の別の態様は、電子機器に関する。電子機器は、上述のいずれかのＵＳＢ給電装置を備える。
【００３０】
なお、以上の構成要素の任意の組み合わせや本発明の構成要素や表現を、方法、装置、システムなどの間で相互に置換したものもまた、本発明の態様として有効である。
【発明の効果】
【００３１】
本発明のある態様によれば、ＵＳＢ受電装置に供給されるバス電圧が、スイッチやバスラインを含む供給経路の電圧降下に起因してドロップするのを抑制することができる。
【図面の簡単な説明】
【００３２】
【図１】本発明者らが検討したＵＳＢ−ＰＤ規格に準拠するＵＳＢホストのブロック図である。
【図２】実施の形態に係るＵＳＢ給電装置のブロック図である。
【図３】バス電圧検出部の構成例を示す回路図である。
【図４】図２のＵＳＢ給電装置の動作波形図である。
【図５】第１変形例に係るＵＳＢ給電装置のブロック図である。
【図６】第２変形例に係るＵＳＢ給電装置のブロック図である。
【図７】第５変形例に係るＵＳＢ給電装置のブロック図である。
【図８】ＵＳＢ給電装置を備える電子機器の斜視図である。
【発明を実施するための形態】
【００３３】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００３４】
本明細書において、「部材Ａが、部材Ｂと接続された状態」とは、部材Ａと部材Ｂが物理的に直接的に接続される場合や、部材Ａと部材Ｂが、それらの電気的な接続状態に実質的な影響を及ぼさない、あるいはそれらの結合により奏される機能や効果を損なわせない、その他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００３５】
図２は、実施の形態に係るＵＳＢ給電装置１００のブロック図である。ＵＳＢ給電装置１００は、ＵＳＢ−ＰＤ規格に準拠しており、ＵＳＢホストであってもよいし、ホスト機能付きあるいはホスト機能無しのＵＳＢチャージャであってもよいし、あるいはホスト・デバイスのデュアルロール端末に搭載されるＵＳＢチャージャであってもよい。レセプタクル（ＵＳＢポート、ＵＳＢプラグともいう）１０８には、ＵＳＢケーブル２０２を介して、電力供給先のＵＳＢ受電装置２００が接続される。ＵＳＢ受電装置２００は、通常はＵＳＢデバイスであるが、ホスト・デバイスのデュアルロール端末であってもよいし、ホスト機能を有する端末であってもよい。ここでは、ＶＢＵＳラインとＧＮＤラインのみが示される。
【００３６】
電源回路１０２は、ＵＳＢ受電装置２００に供給すべきＤＣ電圧ＶＯＵＴを生成する。フィードバック回路１０４は、電源回路１０２の出力電圧ＶＯＵＴが基準電圧ＶＲＥＦに近づくように、電源回路１０２をフィードバック制御する。キャパシタＣ１は、ＵＳＢ給電装置１００の出力電圧ＶＯＵＴを平滑化する。
【００３７】
具体的にはフィードバック回路１０４は、出力電圧ＶＯＵＴに応じた検出電圧ＶＳと、基準電圧ＶＲＥＦの誤差を増幅してフィードバック信号ＶＦＢを生成し、電源回路１０２に供給する。電源回路１０２は、フィードバック信号ＶＦＢを受け、出力電圧ＶＯＵＴと基準電圧ＶＲＥＦの誤差がゼロに近づくように、出力電圧ＶＯＵＴを調節する。電源回路１０２およびフィードバック回路１０４の構成は特に限定されない。たとえば電源回路１０２はリニアレギュレータ、降圧型あるいは昇圧型のＤＣ／ＤＣコンバータ、ＡＣ／ＤＣコンバータで構成してもよいし、それらの組み合わせとしてもよい。
【００３８】
バスライン１０６は、電源回路１０２の出力からレセプタクル１０８の間を接続する。スイッチＳＷ１およびインダクタＬ１は、バスライン１０６の経路上に直列に設けられる。たとえばスイッチＳＷ１は、対向配置された２つのＮチャンネルＭＯＳＦＥＴを含む。キャパシタＣ２は、レセプタクル１０８の近傍においてバスライン１０６と接続され、バス電圧ＶＢＵＳを平滑化する。
【００３９】
コントローラ１１０は、ＵＳＢ給電装置１００全体を統合的に制御する。コントローラ１１０は、（i）ＵＳＢ受電装置２００と通信して設定電圧ＶＳＥＴを決定する機能、（ii）電源回路１０２を制御する機能、（iii）スイッチＳＷ１のオン、オフ状態を制御する機能を有する。
【００４０】
コントローラ１１０のＣＯＭ端子は、キャパシタＣ３を介してバスライン１０６とカップリングされる。通信部１１３は、バス電圧ＶＢＵＳに重畳される変調電圧ＶＭＯＤを受け、これを復調してロジック部１１４に出力する。ロジック部１１４は、ＵＳＢ受電装置２００とのネゴシエーションに応じて、ＵＳＢ給電装置１００がＵＳＢ受電装置２００に供給すべきバス電圧ＶＢＵＳの電圧レベル（設定電圧ＶＳＥＴ）を決定する。
【００４１】
またコントローラ１１０のロジック部１１４は、設定電圧ＶＳＥＴをベースとして、ＵＳＢ給電装置１００の電気的状態にもとづいて、フィードバック回路１０４の基準電圧ＶＲＥＦを適応的に制御する。
【００４２】
ロジック部１１４は、ＵＳＢ給電装置１００の電気的状態やＵＳＢ給電装置１００の電気的状態や、所定のシーケンスにしたがって、スイッチＳＷ１のオン、オフ状態を制御する。ドライバ１１６は、ロジック部１１４が生成する制御信号Ｓ３にもとづいてスイッチＳＷ１を制御する。たとえばドライバ１１６は、チャージポンプ回路を含み、スイッチＳＷ１のオンが指示されるとき、ＶＯＵＴより高いハイレベル電圧を生成してスイッチＳＷ１のゲートに供給する。
【００４３】
ＯＣＰ（過電流保護）回路１１８は、サプライ電流ＩＳＵＰＰＬＹを検出し、過電流しきい値ＩＯＣＰとの比較により過電流状態を検出する。ロジック部１１４は、過電流状態が検出されると、スイッチＳＷ１をオフに切りかえる。そのほか、コントローラ１１０は、ＯＶＰ（過電圧保護）回路などを含んでもよく、ロジック部１１４は過電圧状態が検出されると、スイッチＳＷ１をオフに切りかえてもよい。
【００４４】
またコントローラ１１０は、出力キャパシタＣ１、Ｃ２の電荷を放電するための放電回路を含んでもよく、ロジック部１１４は放電回路を制御してもよい。ただしこれらの機能は、本発明とは関連がないため省略する。
【００４５】
続いて基準電圧ＶＲＥＦの制御について説明する。具体的には、コントローラ１１０は、スイッチＳＷ１よりもＵＳＢ受電装置２００側の、好ましくはレセプタクル１０８の近傍のバス電圧ＶＢＵＳの、設定電圧ＶＳＥＴからのドロップ量が小さくなるように、基準電圧ＶＲＥＦを制御する。
【００４６】
コントローラ１１０は、バス電圧ＶＢＵＳを検出するバス電圧検出部１１２を含む。コントローラ１１０のロジック部１１４は、バス電圧検出部１１２の検出結果にもとづいて、基準電圧ＶＲＥＦを制御する。
【００４７】
図３は、バス電圧検出部１１２の構成例を示す回路図である。バス電圧検出部１１２は、バス電圧ＶＢＵＳを、設定電圧ＶＳＥＴより低く定められた第１しきい値電圧ＶＴＨ１と比較し、バス電圧ＶＢＵＳが第１しきい値電圧ＶＴＨ１を下回るとアサート（たとえばハイレベル）される低電圧検出信号Ｓ１を生成する。この機能は、第１コンパレータ１２０により実現される。第１しきい値電圧ＶＴＨ１は、規格により定められるバス電圧ＶＢＵＳの下限電圧もしくはそれよりも少し高く設定することが望ましい。
【００４８】
またバス電圧検出部１１２は、バス電圧ＶＢＵＳを、設定電圧ＶＳＥＴまたはその近傍に設定された第２しきい値電圧ＶＴＨ２と比較し、バス電圧ＶＢＵＳが第２しきい値電圧ＶＴＨ２を超えるとアサート（たとえばハイレベル）される電圧復帰信号Ｓ２を生成する。この機能は、第２コンパレータ１２２により実現される。なお、ここでは第１コンパレータ１２０、第２コンパレータ１２２をアナログの電圧コンパレータとして示すが、Ａ／Ｄコンバータによりデジタル値に変換した後に、しきい値電圧に対応するデジタル値とＡ／Ｄコンバータの出力を比較してもよい。
【００４９】
図２に戻る。ロジック部１１４は、低電圧検出信号Ｓ１がアサートされると、基準電圧ＶＲＥＦを所定幅ΔＶ１、増大させる。反対にロジック部１１４は、電圧復帰信号Ｓ２がアサートされると、基準電圧ＶＲＥＦを所定幅ΔＶ２、低下させる。なお、電圧幅ΔＶ１、ΔＶ２は、同じとしてもよいが、ΔＶ１＞ΔＶ２としてもよい。
【００５０】
ロジック部１１４は、基準電圧ＶＲＥＦを、設定電圧ＶＳＥＴに補正電圧ＶＣＭＰを重畳した電圧として管理してもよい。
ＶＲＥＦ＝ＶＳＥＴ＋ＶＣＭＰ
補正電圧ＶＣＭＰの初期値をゼロである。ロジック部１１４は、スイッチＳＷ１やインダクタＬ１、図示しない電流検出用の抵抗での電圧降下が大きくなり、バス電圧ＶＢＵＳが第１しきい値電圧ＶＴＨ１より低くなると、つまり低電圧検出信号Ｓ１がアサートされると補正電圧ＶＣＭＰを増大させてもよい。反対にスイッチＳＷ１やインダクタＬ１での電圧降下が小さくなり、バス電圧ＶＢＵＳが正常な電圧レベル（第２しきい値電圧ＶＴＨ２）に復帰すると、つまり電圧復帰信号Ｓ２がアサートされると、補正電圧ＶＣＭＰを減少させてもよい。補正電圧ＶＣＭＰは、０以上の範囲で変化させてもよいし、負を許容してもよい。
【００５１】
なおロジック部１１４は、低電圧検出信号Ｓ１のアサートには即座に反応して直ちに基準電圧ＶＲＥＦを増大する反面、電圧復帰信号Ｓ２については、電圧復帰信号Ｓ２がアサートされた状態が所定の判定時間τＲＥＣ持続すると、基準電圧ＶＲＥＦを低下させることが好ましい。
【００５２】
以上がＵＳＢ給電装置１００の構成である。続いてその動作を説明する。
【００５３】
図４は、図２のＵＳＢ給電装置１００の動作波形図である。当然ながらスイッチＳＷ１はオンしている。時刻ｔ０以前、サプライ電流ＩＳＵＰＰＬＹはゼロである。このとき、基準電圧ＶＲＥＦは、初期値である設定電圧ＶＳＥＴと等しくなっている。なおここでは電源回路１０２およびフィードバック回路１０４の応答遅れはないものとし、基準電圧ＶＲＥＦと電源回路１０２の出力電圧ＶＯＵＴとを同じ波形として示す。
【００５４】
時刻ｔ０以前、サプライ電流ＩＳＵＰＰＬＹはゼロであるから、電源回路１０２の出力からレセプタクル１０８の間の電圧降下ＶＤＲＯＰは実質的にゼロであり、ＶＢＵＳ＝ＶＯＵＴとなる。初期状態では、ＶＯＵＴ＝ＶＲＥＦ＝ＶＳＥＴであるから、バス電圧ＶＢＵＳは設定電圧ＶＳＥＴとも等しい。
【００５５】
時刻ｔ０にサプライ電流ＩＳＵＰＰＬＹが増大する。サプライ電流ＩＳＵＰＰＬＹの増大にともない、電圧降下ＶＤＲＯＰが大きくなり、バス電圧ＶＢＵＳが低下する。時刻ｔ１にバス電圧ＶＢＵＳが第１しきい値電圧ＶＴＨ１を下回ると、低電圧検出信号Ｓ１がアサートされる。これにより、基準電圧ＶＲＥＦがΔＶ１上昇し、出力電圧ＶＯＵＴがそれにともない増大する。バス電圧ＶＢＵＳも、高電位側にΔＶ１分シフトし、第１しきい値電圧ＶＴＨ１より高いレベルに戻される。
【００５６】
もし、基準電圧ＶＲＥＦの上方向のシフトを１回行った後に、依然としてバス電圧ＶＢＵＳが第１しきい値電圧ＶＴＨ１を下回っている場合には、再度、低電圧検出信号Ｓ１がネゲートされるまで、基準電圧ＶＲＥＦを、さらに１回、あるいは複数回、ΔＶ１ずつ上方向にシフトさせてもよい。
【００５７】
時刻ｔ２に、負荷変動により、サプライ電流ＩＳＵＰＰＬＹが短時間、過渡的に減少する。これにより、電圧降下ＶＤＲＯＰが一時的に減少して、バス電圧ＶＢＵＳが第２しきい値電圧ＶＴＨ２を超え、電圧復帰信号Ｓ２がアサートされる。しかしながら、電圧復帰信号Ｓ２のアサートされる時間は、判定時間τＲＥＣより短いため、基準電圧ＶＲＥＦは維持される。
【００５８】
時刻ｔ３以降に、サプライ電流ＩＳＵＰＰＬＹが定常的に小さいレベルに低下する。これにより電圧降下ＶＤＲＯＰが小さくなり、バス電圧ＶＢＵＳが設定電圧ＶＳＥＴを超えて増大する。このとき、バス電圧ＶＢＵＳは第２しきい値電圧ＶＴＨ２を超えるため電圧復帰信号Ｓ２がアサートされる。電圧復帰信号Ｓ２が判定時間τＲＥＣより長くアサートされると、基準電圧ＶＲＥＦが、ΔＶ２分、下方向にシフトする。これによりバス電圧ＶＢＵＳは、設定電圧ＶＳＥＴ付近に引き戻される。
【００５９】
以上がＵＳＢ給電装置１００の動作である。
このＵＳＢ給電装置１００によれば、基準電圧ＶＲＥＦを適応的に制御することにより、バス電圧ＶＢＵＳが規格上の下限電圧を下回るのを抑制することができ、ロードレギュレーションを改善できる。
【００６０】
特に図２の実施の形態では、レセプタクル１０８の直近のバス電圧ＶＢＵＳを直接的に監視し、バス電圧ＶＢＵＳに応じて基準電圧ＶＲＥＦを制御することとした。これにより、バス電圧ＶＢＵＳの低下を確実に検知し、基準電圧ＶＲＥＦに反映させることができる。
【００６１】
またバス電圧ＶＢＵＳと第１しきい値電圧ＶＴＨ１との比較結果にもとづき基準電圧ＶＲＥＦを制御することとしたため、バス電圧ＶＢＵＳが第１しきい値電圧ＶＴＨ１より低くドロップするのを抑制できる。言い換えれば許容するドロップ量を、第１しきい値電圧ＶＴＨ１に応じて設定できる。
【００６２】
さらに基準電圧ＶＲＥＦは、設定電圧ＶＳＥＴに補正電圧ＶＣＭＰを重畳した電圧とし、補正電圧ＶＣＭＰを増減させることとした。これによりスイッチやバスラインの電圧降下ＶＤＲＯＰが小さいときには、補正電圧ＶＣＭＰをゼロとすることでバス電圧ＶＢＵＳを設定電圧ＶＳＥＴに近づけることができ、電圧降下ＶＤＲＯＰが大きいときには、補正電圧ＶＣＭＰを大きくすることでバス電圧ＶＢＵＳを設定電圧ＶＳＥＴに近づけることができる。
【００６３】
またバス電圧ＶＢＵＳが第２しきい値電圧ＶＴＨ２を超えると、基準電圧ＶＲＥＦを低下させることとしたため、バス電圧ＶＢＵＳが第２しきい値電圧ＶＴＨ２を超えた状態が持続するのを防止できる。また、判定時間τＲＥＣを設定したことにより、図４の時刻ｔ２のような過渡的な負荷変動によって系が不安定となるのを防止できる。
【００６４】
ＵＳＢ給電装置１００が奏する上述の効果は、設定電圧ＶＳＥＴの設定値に依存せずに得られるものであるが、設定電圧ＶＳＥＴに応じて、使用されるパラメータ（具体的には、第１しきい値電圧ＶＴＨ１、第２しきい値電圧ＶＴＨ２、判定時間τＲＥＣ、電圧幅ΔＶ１、ΔＶ２など）の少なくともひとつを変化させてもよい。
【００６５】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００６６】
（第１変形例）
図５は、第１変形例に係るＵＳＢ給電装置１００ａのブロック図である。図２と共通する構成については説明を省略し、相違点のみを説明する。図５のＵＳＢ給電装置１００ａにおいて、コントローラ１１０ａは、電流検出部１３０をさらに備える。
【００６７】
電流検出部１３０は、サプライ電流ＩＳＵＰＰＬＹを検出する。コントローラ１１０ａは、バス電圧検出部１１２の検出結果に加えて、電流検出部１３０の検出結果にもとづいて基準電圧ＶＲＥＦを制御する。電流検出部１３０は、スイッチＳＷ１よりも電源回路１０２側において電流を検出してもよいし、スイッチＳＷ１よりもレセプタクル１０８側において電流を検出してもよい。電流検出部１３０が生成する電流検出信号Ｓ４は、サプライ電流ＩＳＵＰＰＬＹを所定のしきい値と比較した結果を示す信号であってもよいし、サプライ電流ＩＳＵＰＰＬＹを量子化したデジタル値であってもよい。
【００６８】
バスライン１０６に接続される平滑用のキャパシタＣ２の容量は大きいため、サプライ電流ＩＳＵＰＰＬＹが変化してから、バス電圧ＶＢＵＳが変動するまでには遅延が生ずる。そこでロジック部１１４は、サプライ電流ＩＳＵＰＰＬＹの検出結果Ｓ４にもとづいて、バス電圧ＶＢＵＳの変動を予測し、基準電圧ＶＲＥＦを変化させる。言い換えれば、ロジック部１１４は、サプライ電流ＩＳＵＰＰＬＹに応じて基準電圧ＶＲＥＦをフィードフォワード制御する。これにより、バス電圧ＶＢＵＳが実際に変動する前に基準電圧ＶＲＥＦを先回りして変化させることができ、追従性を高めてバス電圧ＶＢＵＳの変動をさらに抑制できる。
【００６９】
言い換えれば、長い時間スケールでのバス電圧ＶＢＵＳの変動は、バス電圧検出部１１２の検出結果にもとづいて抑制し、短い時間スケールでのバス電圧ＶＢＵＳの変動は、電流検出部１３０の検出結果にもとづいて抑制しているとも言える。
【００７０】
たとえば電流検出部１３０およびロジック部１１４は、所定の単位時間当たりのサプライ電流ＩＳＵＰＰＬＹの変動量を検出し、基準電圧ＶＲＥＦに反映させてもよい。電流検出部１３０は、サプライ電流ＩＳＵＰＰＬＹをサンプリングしてもよく、この場合、単位時間はサンプリング周期であってもよい。たとえば、ロジック部１１４は、単位時間当たりのサプライ電流ＩＳＵＰＰＬＹの増大量が所定のしきい値を超えたときに、基準電圧ＶＲＥＦを電圧幅ΔＶ３増大させてもよい。あるいはロジック部１１４は、単位時間当たりのサプライ電流ＩＳＵＰＰＬＹの増大量に応じて、電圧幅ΔＶ３を変化させてもよい。
【００７１】
あるいはロジック部１１４は、サプライ電流ＩＳＵＰＰＬＹの波形に応じて、基準電圧ＶＲＥＦを変化させてもよい。電流検出部１３０は、その構成の一部をＯＣＰ回路１１８と共有してもよい。なお、電流検出部１３０やＯＣＰ回路１１８における電流検出方法は特に限定されない。
【００７２】
（第２変形例）
図６は、第２変形例に係るＵＳＢ給電装置１００ｂのブロック図である。図５のＵＳＢ給電装置１００ｂにおいて、コントローラ１１０ｂは出力電圧検出部１３２をさらに備える。出力電圧検出部１３２は、電源回路１０２の出力電圧ＶＯＵＴを検出する。ロジック部１１４は、バス電圧検出部１１２の検出結果（Ｓ１、Ｓ２）に加えて、出力電圧検出部１３２の検出結果にもとづいて基準電圧ＶＲＥＦを制御する。出力電圧検出部１３２が生成する電圧検出信号Ｓ５は、電源回路１０２の出力電圧ＶＯＵＴを所定のしきい値と比較した結果を示す信号であってもよいし、出力電圧ＶＯＵＴを量子化したデジタル値であってもよい。
【００７３】
バス電圧検出部１１２および出力電圧検出部１３２の組み合わせは、電源回路１０２の出力電圧ＶＯＵＴとバス電圧ＶＢＵＳとの差分ＶＤＲＯＰを検出する電圧降下検出部と把握することもできる。電源回路１０２の出力電圧ＶＯＵＴとバス電圧ＶＢＵＳの電位差ＶＤＲＯＰを測定し、電位差ＶＤＲＯＰを基準電圧ＶＲＥＦに反映させることにより、バス電圧ＶＢＵＳを設定電圧ＶＳＥＴに近づけることができる。
【００７４】
また出力電圧ＶＯＵＴを測定することは、サプライ電流ＩＳＵＰＰＬＹが増大したときに、電源回路１０２の出力インピーダンスによって、出力電圧ＶＯＵＴが基準電圧ＶＲＥＦより低くなる場合にも有効である。この場合、ＶＯＵＴとＶＲＥＦの電位差を算出し、電位差分、基準電圧ＶＲＥＦを変化させてもよい。これにより、電源回路１０２の出力インピーダンスの影響をキャンセルできる。なお、出力電圧検出部１３２を、図５のＵＳＢ給電装置１００ａに追加してもよい。
【００７５】
（第３変形例）
図５のＵＳＢ給電装置１００ａでは、バス電圧検出部１１２と電流検出部１３０を併用する場合を説明したが、バス電圧検出部１１２を省略し、電流検出部１３０の検出結果Ｓ４にもとづいて基準電圧ＶＲＥＦを制御してもよい。スイッチＳＷ１およびインダクタＬ１のインピーダンスが既知である場合には、インピーダンスの情報をロジック部１１４に保持してもよい。これによりロジック部１１４は、サプライ電流ＩＳＵＰＰＬＹの測定量とインピーダンスの積として電圧降下ＶＤＲＯＰを計算し、基準電圧ＶＲＥＦを設定できる。
【００７６】
（第４変形例）
図６のＵＳＢ給電装置１００ｂでは、バス電圧検出部１１２と出力電圧検出部１３２を併用する場合を説明したが、電流検出部１３０と出力電圧検出部１３２を併用してもよい。
【００７７】
（第５変形例）
実施の形態では、ＵＳＢ−ＰＤ規格に準拠するＵＳＢ給電装置１００を説明したが、ＵＳＢ−ＴｙｐｅＣ規格にも適用可能である。図７は、第５変形例に係るＵＳＢ給電装置１００ｃのブロック図である。ＵＳＢ−ＴｙｐｅＣ規格では、コントローラ１１０ｃとＵＳＢ受電装置２００間の通信は、専用線２０４を介して行われる。つまりバス電圧ＶＢＵＳに変調電圧ＶＭＯＤは重畳されないため、図２のキャパシタＣ３は不要であり、またインダクタＬ１を省略することもできる。その他については図２と同様である。
【００７８】
（用途）
最後にＵＳＢ給電装置１００の用途を説明する。図８は、ＵＳＢ給電装置１００を備える電子機器３００の斜視図である。電子機器３００は、たとえばテレビや液晶ディスプレイ、ノート型コンピュータなどである。
【００７９】
電子機器３００は、筐体３０２、ディスプレイパネル３０４、上述のＵＳＢ給電装置１００を備える。ＵＳＢ給電装置１００の電源回路１０２は、ＡＣ／ＤＣコンバータであり、ＡＣ電圧ＶＡＣをＤＣ電圧ＶＯＵＴに変換する。ＤＣ電圧ＶＯＵＴの設定電圧ＶＳＥＴは、コントローラ１１０により選択される。レセプタクル１０８は、筐体３０２の前面あるいは背面に設置され、ＵＳＢケーブル２０２が挿入可能となっている。
【００８０】
なお電子機器３００は、携帯電話端末、タブレット端末、デジタルカメラ、デジタルビデオカメラなどであってもよい。
【００８１】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００８２】
１００…ＵＳＢ給電装置、１０２…電源回路、１０４…フィードバック回路、１０６…バスライン、１０８…レセプタクル、１１０…コントローラ、１１２…バス電圧検出部、１１３…通信部、１１４…ロジック部、１１６…ドライバ、１１８…ＯＣＰ回路、１２０…第１コンパレータ、１２２…第２コンパレータ、１３０…電流検出部、１３２…出力電圧検出部、２００…ＵＳＢ受電装置、２０２…ＵＳＢケーブル、ＳＷ１…スイッチ、Ｌ１…インダクタ、Ｃ１，Ｃ２…出力キャパシタ、Ｓ１…低電圧検出信号、Ｓ２…電圧復帰信号、Ｓ３…制御信号、Ｓ４…電流検出信号、Ｓ５…電圧検出信号、３００…電子機器、３０２…筐体、３０４…ディスプレイパネル。
【図１】
0006382065.tif 000002
【図２】
0006382065.tif 000003
【図３】
0006382065.tif 000004
【図４】
0006382065.tif 000005
【図５】
0006382065.tif 000006
【図６】
0006382065.tif 000007
【図７】
0006382065.tif 000008
【図８】
0006382065.tif 000009